【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
少なくとも１つのユーザの手または少なくとも１つのスタイラス等のユーザ入力オブジェクトに関する第１の位置情報および第２の位置情報を判定するための電子デバイスであって、前記電子デバイスは、
２次元タッチセンサ式表面、特に、タッチセンサ式ディスプレイと、
３次元非接触検出手段であって、前記３次元非接触検出手段は、容量感知手段を備え、前記容量感知手段は、順に、
静的または準静的である電場を生成するための電場生成手段と、
前記ユーザ入力オブジェクトによって引き起こされる前記電場の変化を検出するための電場検出手段と
を備え、
前記電場検出手段は、別個の手段であるかまたは前記電場生成手段の一体部分である、３次元非接触検出手段と、
前記タッチセンサ式表面と、前記非接触検出手段とに動作可能に接続されているコントローラ手段と
を備え、
前記第１の位置情報は、前記ユーザ入力オブジェクトが前記タッチセンサ式表面に接触する場所に依存する第１の位置を含み、
前記第２の位置情報は、前記タッチセンサ式表面に関する前記ユーザ入力オブジェクトの空間的構成に依存する第２の位置を含み、
前記コントローラ手段は、前記タッチセンサ式表面を介して前記第１の位置情報を、および前記非接触検出手段を介して前記第２の位置情報を判定および出力するために適合され、前記コントローラ手段は、好ましくは、少なくとも１つのコントローラを備え、前記コントローラ手段は、時分割多重化および／または周波数分割多重化を使用して、前記第１の位置情報および前記第２の位置情報を同時に判定するために適合されている、電子デバイス。
【請求項２】
前記第２の位置情報は、前記タッチセンサ式表面の所定の距離内にある前記ユーザ入力オブジェクトの一部分の前記空間的構成に依存し、前記所定の距離は、好ましくは、０．５ｃｍ、１ｃｍ、１．５ｃｍ、２ｃｍ、２．５ｃｍ、３ｃｍ、３．５ｃｍ、４ｃｍ、４．５ｃｍ、５ｃｍ、５．５ｃｍ、６ｃｍ、７ｃｍ、８ｃｍ、９ｃｍ、１０ｃｍ、１５ｃｍ、２０ｃｍ、５０ｃｍ、１ｍ、２ｍ、５ｍ、または１０ｍ未満である、請求項１に記載の電子デバイス。
【請求項３】
前記第１の位置は、前記ユーザ入力オブジェクトが前記タッチセンサ式表面に接触する場所の平均位置である、請求項１または２に記載の電子デバイス。
【請求項４】
前記第２の位置は、前記ユーザ入力オブジェクトの、または前記ユーザ入力オブジェクトの一部分の平均位置である、請求項１または２に記載の電子デバイス。
【請求項５】
前記容量感知手段は、前記電場の前記検出された変化から前記第２の位置情報を判定するための分析モジュールを備え、前記分析モジュールは、別個のモジュールであるかまたは前記コントローラ手段の一体部分である、請求項１〜４のうちのいずれかに記載の電子デバイス。
【請求項６】
前記電場生成手段および／または前記電場検出手段は、前記タッチセンサ式表面の、および／または前記タッチセンサ式ディスプレイの一体部分である、請求項１〜５のうちのいずれかに記載の電子デバイス。
【請求項７】
前記電子デバイスはさらに、別個のモジュールであるかまたは前記コントローラ手段の一体部分である、ジェスチャ認識モジュールを備え、
前記ジェスチャ認識モジュールは、前記コントローラ手段によって判定される、前記第１の位置情報、前記第２の位置情報、前記第１の位置、および／または前記第２の位置から、所定のジェスチャカテゴリに属するものとしてジェスチャを識別するために適合され、
前記電子デバイスは、前記ジェスチャが前記ジェスチャ認識モジュールによって前記所定のジェスチャカテゴリに属するものとして識別されたときまたは後に、第１の状態から第２の状態へ移行するために適合されている、請求項１〜６のうちのいずれかに記載の電子デバイス。
【請求項８】
前記ジェスチャ認識モジュールは、
好ましくは、所定のジェスチャカテゴリを記憶および／または取得することと、
前記コントローラ手段によって判定される、前記第１および第２の位置情報、および／または前記第１および第２の位置から、前記ジェスチャを記録することであって、好ましくは、前記ジェスチャは、前記ユーザ入力オブジェクトが前記タッチセンサ式表面に触れる限り記録される、ことと、
前記所定のジェスチャカテゴリに属するものとして前記記録されたジェスチャを識別することと、
好ましくは、ズーム倍率、または離散回転角度等のパラメータを前記識別されたジェスチャから抽出することと
を行うように適合され、
ジェスチャは、好ましくは、位相空間内の軌道であり、前記位相空間は、前記第１および第２の位置情報の全ての可能性として考えられる状態によって、および／または、前記第１および第２の位置情報、および／または前記第１および第２の位置が占有し得る状態によって、画定される、請求項７に記載の電子デバイス。
【請求項９】
前記第２の位置が、回転軸の周囲の実質的に円形の軌道上で移動し、前記回転軸が、前記タッチセンサ式表面と垂直であり、前記第１の位置に交差し、前記第１の位置が、実質的に一定のままである場合、または
前記第２の位置が、前記タッチセンサ式表面に向かって、または前記タッチセンサ式表面から離れて、実質的に線である軌道上で移動し、前記第１の位置が、実質的に一定のままであり、前記線が、好ましくは、前記タッチセンサ式表面と垂直である場合、または
前記第２の位置が、回転軸の周囲の実質的に円形の軌道上で移動し、前記回転軸が、前記タッチセンサ式表面内に位置し、前記第１の位置に交差し、前記第１の位置が、実質的に一定のままである場合、または
前記第２の位置が、前記タッチセンサ式表面と平行に、実質的に線である軌道上で移動し、前記第１の位置が、実質的に一定のままである場合、または
前記第１および第２の位置が実質的に同一方向へ同時に移動し、前記同一方向は、前記タッチセンサ式表面と実質的に平行である場合、
ジェスチャは、前記所定のカテゴリに属する、請求項７に記載の電子デバイス。
【請求項１０】
前記ジェスチャ認識モジュールは、ベクトル（具体的には、前記ベクトルの長さ、前記ベクトルの初期点、前記ベクトルの終点、画面の表面と前記ベクトルとの間の角度、前記タッチセンサ式表面上に投影される前記ベクトルと前記タッチセンサ式表面内に位置する好ましい軸との間の角度）を判定するために適合され、前記ベクトルの初期点は、前記第１の位置であり、前記ベクトルの終点は、前記第２の位置である、請求項７に記載の電子デバイス。
【請求項１１】
前記ジェスチャ認識モジュールは、円筒座標系内の前記第２の位置を判定すること、および／または前記第２の位置を円筒座標系に変換することを行うために適合され、
前記円筒座標系の原点は、前記第１の位置であり、高さ軸は、前記タッチセンサ式表面と垂直であり、参照軸は、前記タッチセンサ式表面内に位置する、請求項７に記載の電子デバイス。
【請求項１２】
請求項１〜１１のうちのいずれかに記載の電子デバイスを制御するための方法であって、
前記タッチセンサ式表面を介して前記第１の位置情報を、および前記３次元非接触検出手段を介して前記第２の位置情報を判定するステップと、
前記第１および第２の位置情報を出力するステップと
を含み、
前記第１の位置および前記第２の位置を判定するステップは、時分割多重化方法および／または周波数分割多重化方法に基づく、方法。
【請求項１３】
請求項１〜１１のうちのいずれかに記載の電子デバイスを制御するための方法であって、
前記電子デバイスが第１の状態である間に、前記第１の位置情報および前記第２の位置情報を判定することと、
ジェスチャを記録することと、
前記検出されたジェスチャが所定のジェスチャカテゴリに属する場合に、前記電子デバイスを第２の状態に移行することと、
検出された位相空間軌道が所定のジェスチャカテゴリに属しない場合に、前記デバイスを前記第１の状態で維持することと
を含む、方法。
【請求項１４】
前記ジェスチャは、前記ユーザ入力オブジェクトが前記タッチセンサ式表面に触れる限り記録される、請求項１３に記載の方法。
【請求項１５】
ズーム倍率または離散回転角度等のパラメータを前記識別されたジェスチャから抽出するステップをさらに含む、請求項１３に記載の方法。
【手続補正２】
【補正対象書類名】明細書
【補正対象項目名】００５２
【補正方法】変更
【補正の内容】
【００５２】
いくつかの実施形態では、実行可能なコンピュータプログラム機構はさらに、ズーム倍率または離散回転角度等のパラメータを識別されたジェスチャから抽出するための命令を備える。
本願明細書は、例えば、以下の項目も提供する。
（項目１）
少なくとも１つのユーザの手または少なくとも１つのスタイラス等のユーザ入力オブジェクトに関する第１の位置情報および第２の位置情報を判定するための電子デバイスであって、
タッチセンサ式表面と、
非接触検出手段と、
前記タッチセンサ式表面と、前記非接触検出手段とに動作可能に接続される、コントローラ手段と
を備え、
前記第１の位置情報は、前記ユーザ入力オブジェクトが前記タッチセンサ式表面に接触する場所に依存し、
前記第２の位置情報は、前記タッチセンサ式表面に関する前記ユーザ入力オブジェクトの空間的構成に依存し、
前記コントローラ手段は、前記タッチセンサ式表面を介して前記第１の位置情報、および前記非接触検出手段を介して前記第２の位置情報を同時および／または交互に判定するために適合され、前記コントローラ手段は、好ましくは、少なくとも１つのコントローラを備える、
電子デバイス。
（項目２）
前記コントローラ手段は、時分割多重化および／または周波数分割多重化を使用して、前記第１の位置情報および前記第２の位置情報を同時に判定するために適合される、項目１に記載の電子デバイス。
（項目３）
前記第１の位置情報は、前記ユーザ入力オブジェクトが前記タッチセンサ式表面に接触する場所に依存する、第１の位置を含み、前記第２の位置情報は、前記ユーザ入力オブジェクトの前記空間的構成に依存する、第２の位置を含む、項目１に記載の電子デバイス。
（項目４）
前記第２の位置情報は、前記タッチセンサ式表面の所定の距離内にある前記ユーザ入力オブジェクトの一部分の前記空間的構成に依存し、前記所定の距離は、好ましくは、０．５ｃｍ、１ｃｍ、１．５ｃｍ、２ｃｍ、２．５ｃｍ、３ｃｍ、３．５ｃｍ、４ｃｍ、４．５ｃｍ、５ｃｍ、５．５ｃｍ、６ｃｍ、７ｃｍ、８ｃｍ、９ｃｍ、１０ｃｍ、１５ｃｍ、２０ｃｍ、５０ｃｍ、１ｍ、２ｍ、５ｍ、または１０ｍ未満である、項目１に記載の電子デバイス。
（項目５）
前記第１の位置は、前記ユーザ入力オブジェクトが前記タッチセンサ式表面に接触する場所の平均位置である、項目３に記載の電子デバイス。
（項目６）
前記第２の位置は、前記ユーザ入力オブジェクトの、または前記ユーザ入力オブジェクトの一部分の平均位置である、項目３に記載の電子デバイス。
（項目７）
前記第１の位置情報は、２次元で判定および／または表現され、および／または前記第２の位置情報は、３次元で判定および／または表現される、項目１に記載の電子デバイス。
（項目８）
前記第１の位置情報および前記第２の位置情報の両方とも、同一の座標系で判定および／または表現され、
前記第１および第２の位置の両方とも、好ましくは、同一の座標系で判定および／または表現され、
前記第１の位置情報および前記第２の位置情報の両方とも、好ましくは、前記タッチセンサ式表面上の参照位置に対して判定され、
前記第１および第２の位置の両方とも、好ましくは、前記タッチセンサ式表面上の参照位置に対して判定される、
項目１に記載の電子デバイス。
（項目９）
前記タッチセンサ式表面は、タッチセンサ式ディスプレイの一部である、項目１に記載の電子デバイス。
（項目１０）
前記非接触検出手段は、能動または受動型である、非接触３Ｄスキャナを備える、項目１に記載の電子デバイス。
（項目１１）
前記非接触３Ｄスキャナは、前記ユーザ入力オブジェクトの画像を記録するための少なくとも１つのビデオカメラと、前記記録された画像から前記第２の位置情報を判定するための画像分析コントローラとを備え、前記画像分析モジュールは、別個のモジュールであるかまたは前記コントローラ手段の一体部分である、項目１０に記載の電子デバイス。
（項目１２）
前記非接触検出手段は、容量感知手段を備え、前記容量感知手段は、
順に、好ましくは、
静的または準静的である電場を生成するための電場生成手段と、
前記ユーザ入力オブジェクトによって引き起こされる前記電場の変化を検出するための電場検出手段と
を備え、前記電場検出手段は、別個の手段であるかまたは前記電場生成手段の一体部分である、
項目１に記載の電子デバイス。
（項目１３）
前記容量感知手段は、
静的または準静的である電場を生成するための電場生成手段と、前記ユーザ入力オブジェクトによって引き起こされる前記電場の変化を検出するための電場検出手段であって、前記検出手段は、別個の手段であるかまたは前記電場生成手段の一体部分である、電場検出手段と、
前記電場の前記検出された変化から前記第２の位置情報を判定するための分析モジュールであって、前記分析モジュールは、別個のモジュールであるかまたは前記コントローラ手段の一体部分である、分析モジュールと
を備える、項目１２に記載の電子デバイス。
（項目１４）
前記電場生成手段および／または前記電場検出手段は、前記タッチセンサ式表面の、および／またはタッチセンサ式ディスプレイの一体部分である、項目１に記載の電子デバイス。
（項目１５）
前記電子デバイスはさらに、別個のモジュールであるかまたは前記コントローラ手段の一体部分である、ジェスチャ認識モジュールを備え、
前記ジェスチャ認識モジュールは、前記コントローラ手段によって判定される、前記第１の位置情報、前記第２の位置情報、前記第１の位置、および／または前記第２の位置から、所定のカテゴリに属するものとしてジェスチャを識別するために適合され、
前記電子デバイスは、前記ジェスチャが前記ジェスチャ認識モジュールによって前記所定のジェスチャカテゴリに属するものとして識別されたときまたは後に、第１の状態から第２の状態へ移行するために適合される、
項目１に記載の電子デバイス。
（項目１６）
前記ジェスチャ認識モジュールは、
好ましくは、所定のジェスチャカテゴリを記憶および／または取得することと、
前記コントローラ手段によって判定される、前記第１および第２の位置情報から、および／または前記第１および第２の位置から、前記ジェスチャを記録することであって、好ましくは、前記ジェスチャは、前記ユーザ入力オブジェクトが前記タッチセンサ式表面に触れる限り、前記ジェスチャが記録される、ことと、
前記所定のジェスチャカテゴリに属するものとして前記記録されたジェスチャを識別することと、
好ましくは、ズーム倍率、または離散回転角度等のパラメータを前記識別されたジェスチャから抽出することと
を行うように適合され、
ジェスチャは、好ましくは、位相空間内の軌道であり、前記位相空間は、前記第１および第２の位置情報の、および／または前記第１および第２の位置の全ての可能性として考えられる状態によって、すなわち、前記第１および第２の位置情報、および／または前記第１および第２の位置が占有し得る状態によって、画定される、
項目１５に記載の電子デバイス。
（項目１７）
前記第２の位置が、回転軸の周囲の実質的に円形の軌道上で移動し、前記回転軸が、前記タッチセンサ式表面と垂直であり、前記第１の位置に交差し、前記第１の位置が、実質的に一定のままである場合、または
前記第２の位置が、前記タッチセンサ式表面に向かって、または前記タッチセンサ式表面から離れて、実質的に線である軌道上で移動し、前記第１の位置が、実質的に一定のままであり、前記線が、好ましくは、前記タッチセンサ式表面と垂直である場合、または
前記第２の位置が、回転軸の周囲の実質的に円形の軌道上で移動し、前記回転軸が、前記タッチセンサ式表面内に位置し、前記第１の位置に交差し、前記第１の位置が、実質的に一定のままである場合、または
前記第２の位置が、前記タッチセンサ式表面と平行に、実質的に線である軌道上で移動し、前記第１の位置が、実質的に一定のままである場合、または
前記第１および第２の位置が実質的に同一方向へ同時に移動し、前記同一方向は、前記タッチセンサ式表面と実質的に平行である場合、
ジェスチャは、前記所定のカテゴリに属する、
項目１５に記載の電子デバイス。
（項目１８）
前記ジェスチャ認識モジュールは、ベクトル（具体的には、前記ベクトルの長さ、前記ベクトルの初期点、前記ベクトルの終点、画面の表面と前記ベクトルとの間の角度、前記タッチセンサ式表面上に投影される前記ベクトルと前記タッチセンサ式表面内に位置する好ましい軸との間の角度）を判定するために適合され、前記ベクトルの前記初期点は、前記第１の位置であり、前記ベクトルの前記終点は、前記第２の位置である、項目１５に記載の電子デバイス。
（項目１９）
前記ジェスチャ認識モジュールは、円筒座標系内の前記第２の位置を判定する、および／または前記第２の位置を円筒座標系に変換するために適合され、
前記円筒座標系の原点は、前記第１の位置であり、高さ軸は、前記タッチセンサ式表面と垂直であり、参照軸は、前記タッチセンサ式表面内に位置する、
項目１５に記載の電子デバイス。
（項目２０）
前記タッチセンサ式ディスプレイを介して前記第１の位置情報、および前記非接触検出手段を介して前記第２の位置情報を同時および／または交互に判定するステップを含む、項目１に記載の電子デバイスを制御するための方法。
（項目２１）
前記第１の位置および前記第２の位置を同時および／または交互に判定するステップは、時分割多重化方法および／または周波数分割多重化方法に基づく、項目２０に記載の方法。
（項目２２）
前記電子デバイスが第１の状態である間に、前記第１の位置情報および前記第２の位置情報を判定するステップと、
ジェスチャを記録するステップと、
前記検出されたジェスチャが所定のジェスチャカテゴリに属する場合に、前記電子デバイスを第２の状態に移行するステップと、
前記検出された位相空間軌道が所定のジェスチャカテゴリに属しない場合に、前記デバイスを前記第１の状態で維持するステップと
を含む、項目１に記載の電子デバイスを制御するための方法。
（項目２３）
前記ジェスチャは、前記ユーザ入力オブジェクトが前記タッチセンサ式表面に触れる限り記録される、項目２２に記載の方法。
（項目２４）
ズーム倍率または離散回転角度等のパラメータを前記識別されたジェスチャから抽出するステップをさらに含む、項目２２に記載の方法。